(57)【要約】      （修正有）【課題】コンパクトな、逆流防止手段を備える水道直圧式水洗大便器を提供する。【解決手段】汚物を受ける汚物受け面と上方に形成されるリム部６とを有するボウル部４と、ボウル部４の下方から連続して延設され汚物を排出するトラップ部と、ボウル部４を外覆し水洗大便器の外観を形成する袴部と、水道管に汚水等が逆流することを防止する逆流防止手段１９を有し水道管と直結してボウル部４に洗浄水を供給する給水装置１１とを備えた水洗大便器において、袴部には、給水装置１１の逆流防止手段１９より下方に、ボウル部４と外気とを連通し、水洗大便器が詰まった場合に汚水等が水洗大便器外へ溢れ出す流出口１４ａが形成されている。【選択図】図２
2011208416.tif 000002
【特許請求の範囲】
【請求項１】
汚物を受ける汚物受け面と上方に形成されるリム部とを有するボウル部と、
前記ボウル部の下方から連続して延設され汚物を排出するトラップ部と、
前記ボウル部を外覆し水洗大便器の外観を形成する袴部と、
水道管に汚水等が逆流することを防止する逆流防止手段を有し前記水道管と直結して前記ボウル部に洗浄水を供給する給水装置とを備えた水洗大便器において、
前記袴部には、前記給水装置の逆流防止手段より下方に、前記ボウル部と外気とを連通し、水洗大便器が詰まった場合に汚水等が水洗大便器外へ溢れ出す流出口が形成されていることを特徴とする水洗大便器。
【請求項２】
前記給水装置は前記袴部の上端より下方の前記袴部内に設置され、
前記給水装置の逆流防止手段と前記流出口との鉛直方向の距離は、２５ｍｍ以上であることを特徴とする請求項１に記載の水洗大便器。
【請求項３】
前記流出口の単位時間当たりの排水量は、前記給水装置の単位時間当たりの給水量の最大値より大きいことを特徴とする請求項１又は２に記載の水洗大便器。
【請求項４】
前記流出口は前記袴部の後側壁に設けられ、前記流出口は前記ボウル部と排水流路を介して連通していることを特徴とする請求項１〜３の何れか一項に記載の水洗大便器。
【請求項５】
前記排水流路は複数で形成され、かつ前記流出口は一つで形成されることを特徴とする請求項４に記載の水洗大便器。
【請求項６】
前記排水流路の底面の床からの鉛直方向の高さは、前記ボウル部と接している前記排水流路の流入口が最小となっていることを特徴とする請求項４又は５に記載の水洗大便器。
【発明の詳細な説明】
【技術分野】
【０００１】
本発明は、水洗大便器に関する。 
【背景技術】
【０００２】
従来の水洗大便器は、ボウルに汚物等が詰まった場合、汚水等が溢れだす溢れ面であるリムの上に、使用者が着座する便座を当接させている。また、水道管より直接的に洗浄水を供給する水道直圧式便器の洗浄水供給手段に設けられた逆流防止手段は、水道法施行令第４条第２項の規定に基づき定められた（衛生設備機器の衛生性を規定する）逆流防止に関する基準において、リムの上方所定間隔を確保することで衛生性を確保するように規定されている。
一方、ボウルに汚物等が詰まった場合、汚水等が溢れだすのを防止するため、汚水等を排出するオーバーフロー用の流出口をボウル内上方に開口し、流出口からの水路がＳトラップを形成するトラップ及び下向きの排水路を介して、便器の排水管に接続しているものが知られている（例えば、特許文献１参照。）。 
【先行技術文献】
【特許文献】
【０００３】
【特許文献１】特開２００５−２０７２２２号公報
【発明の概要】
【発明が解決しようとする課題】
【０００４】
しかしながら、このような場合、Ｓトラップを形成するトラップ及び下向きの排水路が汚物等で詰まった場合、便器のボウル内に設けられたオーバーフロー用の流出口はオーバーフローの役割を果たさなくなるため、水道法施行令第４条第２項の規定に基づき定められた逆流防止に関する基準において、オーバーフロー用の流出口は便器が排水不能となったときの溢れ位置とは認められない。そのため、ボウルに汚物等が詰まった場合の溢れ位置は便座と当接するリム部の上面となり、水道管より直接的に洗浄水を供給する水道直圧式便器の洗浄水供給手段を設ける際には、リムの上方所定間隔を確保する必要があるため、便器全体の高さが高くなり、水洗大便器をレストルーム空間の中で意匠性良くコンパクトに見せたりすることができないという問題があった。
【０００５】
本発明は、上記課題を解決するためになされたもので、本発明の目的は、水洗大便器をレストルーム空間の中で意匠性良くコンパクトに見せると共に、汚物等の逆流防止に関する基準に準拠する水洗大便器を提供するものである。
【課題を解決するための手段】
【０００６】
上記目的を達成するために、本発明は、汚物を受ける汚物受け面と上方に形成されるリム部とを有するボウル部と、ボウル部の下方から連続して延設され汚物を排出するトラップ部と、ボウル部を外覆し水洗大便器の外観を形成する袴部と、水道管に汚水等が逆流することを防止する逆流防止手段を有し水道管と直結してボウル部に洗浄水を供給する給水装置とを備えた水洗大便器において、袴部には、給水装置の逆流防止手段より下方に、ボウル部と外気とを連通し、水洗大便器が詰まった場合に汚水等が水洗大便器外へ溢れ出す流出口が形成されていることを特徴としている。
このように構成された本発明においては、ボウル部と外気とを連通する流出口を給水装置の逆流防止手段より下方の水洗大便器の袴部に形成したことにより、給水装置を袴部の方へ近づけることが可能となり、水洗大便器の袴部の上方に設けられる便座・便蓋等の部材を低くすることができ、水洗大便器をレストルーム空間の中で意匠性良くコンパクトに見せることができる。また、水洗大便器が詰まった場合に汚水等が流出口から水洗大便器外へ確実に溢れ出すため、汚水等の逆流防止に関する基準に準拠することができる。
【０００７】
また、本発明において、好ましくは、給水装置は袴部の上端より下方の袴部内に設置され、給水装置の逆流防止手段と流出口との鉛直方向の距離は、２５ｍｍ以上である。
このように構成された本発明においては、水洗大便器の袴部の上方に設けられる便座・便蓋等の部材をより低くすることができ、水洗大便器をレストルーム空間の中で意匠性良くコンパクトに見せることができる。また、逆流防止に関する基準に準拠することができる。
【０００８】
さらに、本発明において、好ましくは、流出口の単位時間当たりの排水量は、給水装置の単位時間当たりの給水量の最大値より大きい。
このように構成された本発明においては、水洗大便器が詰まった場合に汚水等を水洗大便器外へより確実に溢れ出させることができる。
【０００９】
また、本発明において、好ましくは、流出口は袴部の後側壁に設けられ、流出口はボウル部と排水流路を介して連通している。
このように構成された本発明においては、流出口が袴部の後側壁に設けられていることにより、使用者は流出口を視認する事がないため、水洗大便器の外観意匠を低下さることがなく、水洗大便器をレストルーム空間の中で意匠性良くコンパクトに見せることができる。また、排水流路を介して流出口により外気と連通しているため、便器使用時に汚物等が流出口から外部へ飛沫することを防止することができる。
【００１０】
さらに、本発明において、好ましくは、排水流路は複数で形成され、かつ流出口は一つで形成される。
このように構成された本発明においては、排水流路が複数で形成されているために、万が一、片方の排水流路が汚物等で詰まった場合でも、もう一方の排水流路を利用することができる。また、流出口は一つで形成しており、溢れ水を排出することができる開口断面積を維持することができるため、汚水等が水洗大便器外へより確実に溢れ出すため、汚水等の逆流防止に関する基準に準拠することができる。
【００１１】
また、本発明において、好ましくは、排水流路の底面の床からの鉛直方向の高さは、ボウル部と接している排水流路の流入口が最小となっている。
このように構成された本発明においては、汚水が排水流路の流入口に飛び散って侵入した場合、この僅かな汚水が流出口から床面に滴り落ちることなく、ボウル部内へ戻すことができる。
【発明の効果】
【００１２】
本発明によれば、水洗大便器をレストルーム空間の中で意匠性良くコンパクトに見せると共に、汚物等の逆流防止に関する基準に準拠する水洗大便器を提供することができる。
【図面の簡単な説明】
【００１３】
【図１】本発明の実施形態による水洗大便器を示す概略側面断面図である。
【図２】本発明の実施形態による水洗大便器を示す概略平面断面図である。
【図３】図２の本発明の実施形態による水洗大便器のＡ−Ａ概略断面図である。
【図４】本発明の他の実施形態による水洗大便器を示す概略平面断面図である。
【図５】本発明の他の実施形態による水洗大便器を示す概略側面断面図である。
【発明を実施するための形態】
【００１４】
以下、本発明の実施形態を添付図面を参照にして説明する。図１は本発明の実施形態による水洗大便器を示す概略側面断面図であり、図２は本発明の実施形態による水洗大便器３を示す概略平面断面図である。図３は図２の本発明の実施形態による水洗大便器のＡ−Ａ概略断面図である。
水洗大便器３は、陶器製、又は、樹脂製、又は、樹脂と陶器のハイブリッド製であり、水洗大便器３の上部には樹脂製の便座２と便蓋１が上下方向に回動自在に取り付けられている。水洗大便器３は水道管（図示せず）に汚水等が逆流することを防止する逆流防止手段１９を有し、水道管と直結してボウル部４に洗浄水を供給する給水装置１１を備えている。使用者が着座する便座２は、使用時に下ろした場合、水洗大便器３の袴部５の内側に嵌り込むように構成されており、便蓋１を閉じて側方から水洗大便器３を視認した時には、便座２が隠れて見えないようなっている。それにより水洗大便器３と便蓋１とが一体感を持つようになっており意匠性を向上させている。リム部６の位置については後述する。また、後述する給水装置１１が水洗大便器３の袴部５内に設置され外郭からは視認することができず、本発明の水洗大便器３をレストルーム空間に設置した時には、凸凹のないトータルデザインから、意匠性が良く、コンパクトに見えるようになっている。
【００１５】
図１にて、本実施形態における水洗大便器３の便座２と便蓋１の高さ位置を便器の袴高さに対して抑制すると共に、水道法施行令第４条第２項の規定に基づき定められた（衛生設備機器の衛生性を規定する）汚水等の逆流防止に関する基準に準拠させる構造について以下に述べる。
【００１６】
水洗大便器３は、使用者が排泄を行うボウル部４と、ボウル部４内に溜水を形成するためのトラップ部７と、ボウル部４を覆う袴部５と、ボウルの上方に形成され便座２と当接するリム部６と、ボウル部４に洗浄水を供給するための逆流防止手段１９を組み込んだ給水装置１１によって構成されている。排泄物は給水装置１１による給水により、ボウル部４からトラップ部７へ図示しない建物の排水配管に向けて排出される。具体的には、先ずリムノズル９がボウル部４を洗浄し、次いでゼットノズル１０がトラップ部７に吐水してサイホン作用を起動して排物混じりの溜水１２を建物の排水配管に向けて、排水ソケット８を介して排出した後、再びリムノズル９よりボウル部４へ給水を行い、トラップ部７の封水を復帰させるものである。
【００１７】
図１はサイホンジェット式の水洗大便器の実施形態であるが、この実施形態に限定されることなく、サイホン作用を発生させない洗い落とし式の水洗大便器でも、ジェット吐水を行わないサイホン式の水洗大便器でも、本発明を適用する水洗大便器は何れでも良い。本実施形態においては袴部５の上端を示す第一面１５、リム部６を示す第二面１６、トラップ部７が排水不能になったときに汚水等が溢れる第三面１７、および給水装置１１の逆流防止手段１９の位置を示す第四面１８が構成される。水道法施行令第４条第２項の規定に基づき定められた（衛生設備機器の衛生性を規定する）逆流防止に関する基準に準拠するため、第四面１８は第三面１７から鉛直方向に２５ｍｍ以上の空間を確保しなければならないが、第三面１７を第一面１５よりも低くすることによって給水装置１１の高さが抑えられるため、その結果、便座２と便蓋１の高さ位置を便器の袴部５の高さに対して抑制することが可能となる。
【００１８】
第一面１５から第四面１８の位置の位置関係について詳説する。第一面１５は、他の第二面１６と第三面１７と第四面１８のいずれよりも高い状態が、便座２と便蓋１の高さ位置を便器の袴部５の高さに対して発生する段差の抑制に最も効果が高い。第四面１８が第一面１５から鉛直方向に２５ｍｍ未満の高さに位置することで、第三面１７と第四面１８の間に２５ｍｍ以上の逆流防止空間が形成されるように配慮していればよい。
【００１９】
トラップ部７が排水不能になった場合、第三面１７を便器の溢れ面をとして機能させるためには、第三面１７から溢れて排水される水が、給水装置１１による給水よりも多い必要がある。便器の種類によって給水能力は異なるため、排水能力を規定することになる排水通路面積の設定は各部の設計と合わせて設定すればよいことになる。
【００２０】
図２と図３にて、本発明の排水流路の構成を詳説する。
図２の実施形態においては、トラップ部７が排水不能になった場合の排水経路２０について、水洗大便器３はボウル部４の流入口１３ａ、１３ｂから連なった排水流路２０を形成し、袴部５の後方に向けた流出口１４を形成している。ボウル部４側には複数の流入口１３ａ、１３ｂを持つが、袴部５側の流出口１４ａは１つとすることで、溢れ水を排出することができる流出口開口断面積を大きくとることができる。
【００２１】
排水流路２０の流出口１４ａ近傍に給水装置１１を備えることによって、トラップ７が排水不能になった場合、溢れ水の水位と給水装置１１が持つ逆流防止手段１９の位置を示す第四面１８との位置関係を目視で確認し易いように配慮されている。また、ボウル部４の後ろの排水流路２０以外の袴部５内の空間を有効に活用し、給水装置１１を水洗大便器３の内部に収納している。
【００２２】
図３に示す通り、排水流路２０は流入口１３から流出口１４まで登り勾配をなしており、トラップ７が一時的に排水不能になり、その後すぐに解消した場合、排水流路２０に一度浸入した溢れ水が速やかにボウル部４側へ流れ込ませることができる。詰まりが解消された後、外部への流出が継続することは無く、復帰が早いように配慮されている。また、汚水が排水流路２０の流入口１３ａ、１３ｂに飛び散って侵入した場合、この僅かな汚水が流出口１４から床面に滴り落ちることなく、ボウル部４内へ戻すことができる。
【００２３】
図４は本発明の他の実施形態による水洗大便器を示す概略平面断面図、図５は本発明の他の実施形態による水洗大便器を示す概略側面断面図である。上述の実施例との相違点は、流出口が複数になっている点である。
【００２４】
排水流路２０は、ボウル部側が２つの流入口１３ａ、流入口１３ｂに対し、袴部側は複数の流出口１４ｂ、流出口１４ｃと連通している。このような構成により、片方の流出口に汚物等が詰まって排出不能となった場合でも、一方の流出口は使用できるためにより汚水等が水洗大便器外へより確実に溢れ出すため、汚水等の逆流防止に関する基準に準拠することができる。
図５によれば、第一面１５から第四面１８の位置について、第一面１５と第二面１６の間の鉛直方向の距離が便座２の厚みよりも大きく、第三面１７、第四面１８が第一面１５よりも低い場合、袴部５と便蓋１のみのデザイン性の高い外観を実現することが出来る。
【００２５】
上述の実施形態では、流入口と排水流路を２つ、流出口を１つ又は２つ備えた水洗大便器を示したが、本件発明はこのような構成に限定されることなく、それらの数は前述した排水能力を備えるものであればその形式を問わず変形した形態を採ることができる。
【００２６】
上述の実施形態によれば、汚物を受ける汚物受け面と上方に形成されるリム部６とを有するボウル部４と、ボウル部４の下方から連続して延設され汚物を排出するトラップ部７と、ボウル部４を外覆し水洗大便器３の外観を形成する袴部５と、水道管に汚水等が逆流することを防止する逆流防止手段１９を有し水道管と直結してボウル部４に洗浄水を供給する給水装置１１とを備えた水洗大便器３において、袴部５には、給水装置１１の逆流防止手段１９より下方に、ボウル部４と外気とを連通し、水洗大便器３が詰まった場合に汚水等が水洗大便器３外へ溢れ出す流出口１４が形成されていることを特徴としている。このように構成された本実施形態においては、ボウル部４と外気とを連通する流出口１４を給水装置１１の逆流防止手段１９より下方の水洗大便器３の袴部５に形成したことにより、給水装置１１を袴部５の方へ近づけることが可能となり、水洗大便器３の袴部５の上方に設けられる便座２・便蓋１等の部材を低くすることができ、水洗大便器３をレストルーム空間の中で意匠性良くコンパクトに見せることができる。また、水洗大便器３が詰まった場合に汚水等が流出口１４から水洗大便器３外へ確実に溢れ出すため、汚水等の逆流防止に関する基準に準拠することができる。
【００２７】
上述の実施形態によれば、好ましくは、給水装置１１は袴部５の上端より下方の袴部５内に設置され、給水装置１１の逆流防止手段１９と流出口１４との鉛直方向の距離は、２５ｍｍ以上である。このように構成された本実施形態においては、水洗大便器３の袴部５の上方に設けられる便座２・便蓋１等の部材をより低くすることができ、水洗大便器３をレストルーム空間の中で意匠性良くコンパクトに見せることができる。また、逆流防止に関する基準に準拠することができる。
【００２８】
上述の実施形態によれば、好ましくは、流出口１４の単位時間当たりの排水量は、給水装置１１の単位時間当たりの給水量の最大値より大きい。このように構成された本実施形態においては、水洗大便器３が詰まった場合に汚水等を水洗大便器３外へより確実に溢れ出させることができる。
【００２９】
上述の実施形態によれば、好ましくは、流出口１４は袴部５の後側壁に設けられ、流出口１４はボウル部４と排水流路２０を介して連通している。このように構成された本実施形態においては、流出口１４が袴部５の後側壁に設けられていることにより、使用者は流出口１４を視認する事がないため、水洗大便器３の外観意匠を低下さることがなく、水洗大便器３をレストルーム空間の中で意匠性良くコンパクトに見せることができる。また、排水流路２０を介して流出口１４により外気と連通しているため、便器使用時に汚物等が流出口から外部へ飛沫することを防止することができる。
【００３０】
上述の実施形態によれば、好ましくは、排水流路２０は複数で形成され、かつ流出口１４は一つで形成される。このように構成された本実施形態においては、排水流路２０が複数で形成されているために、万が一、片方の排水流路２０が汚物等で詰まった場合でも、もう一方の排水流路２０を利用することができる。また、流出口１４は一つで形成しており、溢れ水を排出することができる開口断面積を維持することができるため、汚水等が水洗大便器３外へより確実に溢れ出すため、汚水等の逆流防止に関する基準に準拠することができる。
【００３１】
上述の実施形態によれば、好ましくは、排水流路２０の底面の床からの鉛直方向の高さは、ボウル部４と接している排水流路２０の流入口１３が最小となっている。このように構成された本実施形態においては、汚水が排水流路の流入口１３に飛び散って侵入した場合、この僅かな汚水が流出口１４から床面に滴り落ちることなく、ボウル部４内へ戻すことができる。
【符号の説明】
【００３２】
１…便蓋
２…便座
３…水洗大便器
４…ボウル部
５…袴部
６…リム部
７…トラップ部
８…排水ソケット
９…リムノズル
１０…ゼットノズル
１１…給水装置
１２…溜水
１３…流入口
１４…流出口
１５…第一面
１６…第二面
１７…第三面
１８…第四面
１９…逆流防止手段
２０…排水流路
【図１】
2011208416.tif 000003
【図２】
2011208416.tif 000004
【図３】
2011208416.tif 000005
【図４】
2011208416.tif 000006
【図５】
2011208416.tif 000007